(57)【要約】【課題】竪樋支持具によって竪樋の外観上の全体的な色調が乱されることがなく、また竪樋と竪樋支持具との色調調整に時間を必要とせず、さらに竪樋の多種の色調に合わせて多種の竪樋支持具を製造、在庫する必要のない、竪樋の取付構造を提供する。【解決手段】竪樋の取付構造は、竪樋Ｔを支持する樋支持具本体１０と、壁面等に取付、固定される取付部２０とよりなる竪樋支持具１を介して、竪樋Ｔを壁面等に取り付けてなり、樋支持具本体１０が無色透明に形成されている。【選択図】図１
2010229799.tif 000002
【特許請求の範囲】
【請求項１】
竪樋を支持する樋支持具本体と、壁面等に取付、固定される取付部とよりなる竪樋支持具を介して、上記竪樋を壁面等に取り付けてなる、竪樋の取付構造において、
上記樋支持具本体は無色透明であることを特徴とする、竪樋の取付構造。
【請求項２】
請求項１において、
上記樋支持具本体のうち、すくなくとも、上記竪樋の外表面にあてがい、かつ外観上露出される部分が無色透明とされる、竪樋の取付構造。
【請求項３】
請求項１または２において、
上記樋支持具本体の表面には、無色透明な耐候性被覆層が形成されている、竪樋の取付構造。
【発明の詳細な説明】
【技術分野】
【０００１】
本発明は、竪樋を竪樋支持具で壁面等に取り付けてなる、竪樋の取付構造に関する。
【背景技術】
【０００２】
竪樋は、一般的に建物の外壁の壁面等に沿って上下方向に配設され、それ自体が外観上きわめて目立つものである。
【０００３】
しかも、その竪樋を壁面等に固定するための竪樋支持具は、適当な高さ位置で、竪樋の外表面に巻き付くように周囲から挟み込んで支持する構造であるから、竪樋支持具の色調が竪樋の外表面の色調に調和していなければ、美観を損なうおそれがある。
【０００４】
したがって、竪樋支持具として一般には、全体の美観を損ねることなく竪樋の色調と調和のとれた、竪樋と同色系のものを使用することが一般的であった。なお、特許文献１の図２には、竪樋の竪樋支持具による壁面への配設例が記載されている。
【先行技術文献】
【特許文献】
【０００５】
【特許文献１】特開平２００４−３３２２３８号公報
【発明の概要】
【発明が解決しようとする課題】
【０００６】
しかしながら、竪樋は取付対象の建物の外観に合わせて多種の色調のものが使用されることから、生産メーカーでは、竪樋の色調の種類に応じて、多種の竪樋支持具を製造し、また生産メーカーや販売店、工事店等の物流拠点では、それら多種の竪樋支持具を在庫する必要があった
【０００７】
また、竪樋と竪樋支持具の生産メーカーが異なることが通例であるから、竪樋に色調が完全に合致した竪樋支持具を使用することはきわめてまれであり、そのため近似の色調のもの等、竪樋と組み合わせて調和がとれる竪樋支持具を選び出す必要があり、従来では、そのような色調調整を現場施工前等に行っていた。
【０００８】
しかし、その調整作業としては、出荷前における竪樋と竪樋支持具との色調調整のみならず、施工現場における取付対象の建物を含んだ全体的な色調の調整もしなければならないため、色調の調整には多大な時間がかけられていた。
【０００９】
このような事情から、竪樋と竪樋支持具の全体的な色調を短時間で合わせることのできる、竪樋の取付構造つまり竪樋と竪樋支持具との組合せ構造が望まれていたが、従来には、そのような目的で提案された竪樋の取付構造は存在しなかった。
【００１０】
本発明は、このような事情を考慮して提案されたもので、その目的は、竪樋支持具によって竪樋の外観上の全体的な色調が乱されることがなく、また竪樋と竪樋支持具との色調調整に時間を必要とせず、さらに竪樋の多種の色調に合わせて多種の竪樋支持具を製造し、在庫する必要のない、竪樋の取付構造を提供することにある。
【課題を解決するための手段】
【００１１】
上記目的を達成するために、請求項１に記載の竪樋の取付構造は、竪樋を支持する樋支持具本体と、壁面等に取付、固定される取付部とよりなる竪樋支持具を介して、竪樋を壁面等に取り付けてなる、竪樋の取付構造において、樋支持具本体が無色透明であることを特徴としている。
【００１２】
請求項２に記載の竪樋の取付構造は、樋支持具本体のうち、すくなくとも、竪樋の外表面にあてがい、かつ外観上露出される部分が無色透明とされる。
【００１３】
請求項３に記載の竪樋の取付構造は、樋支持具本体の外表面に無色透明な耐候性被覆層が形成されている。
【発明の効果】
【００１４】
請求項１に記載の竪樋の取付構造によれば、竪樋支持具の樋支持具本体が無色透明であり、竪樋の、竪樋支持具の樋支持具本体が重なった部分が透けて見えるため、竪樋の外表面全体に同一色調が表れて、美観をよくできる。また、竪樋支持具は無色透明であるため、どのような色調の竪樋との組み合わせであってもよく、そのため、種々の色調の竪樋に合わせて多数の竪樋支持具を製造、在庫する必要がない。また、現場等で色調調整をする必要がないため、施工を迅速に行える。
【００１５】
請求項２に記載の竪樋の取付構造によれば、樋支持具本体のうち、すくなくとも、竪樋の外表面にあてがい、かつ外観上露出される部分が無色透明であるため、竪樋の有する色調を隠すことなく表出させることができるし、樋支持具本体のその他の部分が無色透明でなくてもよいため、そのような部分を安価な材料で形成することで、低コスト化が図れる。
【００１６】
請求項３に記載の竪樋の取付構造によれば、樋支持具本体の表面に無色透明な耐候性被覆層が形成されているため、樹脂等で製された樋支持具本体が耐候性被覆層に保護されて、竪樋支持具が早期に劣化し、変色することを防止できる。
【図面の簡単な説明】
【００１７】
【図１】本発明に係る竪樋の取付構造の第１実施形態を示した図で、（ａ）は竪樋の平面図と一部拡大断面図、（ｂ）は竪樋の取付構造を示した斜視図である。
【図２】本発明に係る竪樋の取付構造の第２実施形態を示した図で、（ａ）は竪樋の平面図、（ｂ）は竪樋の取付構造を示した斜視図である。
【図３】第２実施形態の変形例を示した図で、（ａ）は竪樋の平面図、（ｂ）は竪樋の取付構造を示した斜視図である。
【発明を実施するための形態】
【００１８】
以下に、本発明の実施形態について、添付図面を参照しながら説明する。
【００１９】
図１は、第１実施形態に係る竪樋の取付構造を示した図で、図１（ａ）は竪樋支持具の平面図と一部拡大断面図、図１（ｂ）は竪樋の取付構造を示した斜視図である。
【００２０】
本竪樋支持具１は、壁面等に設置される円筒形の竪樋Ｔを支持する環状の樋支持具本体１０と、壁面に固定する取付部２０とよりなる。
【００２１】
樋支持具本体１０は、主材料をＡＡＳ、ＡＢＳ等の樹脂としており、略半円形に形成した帯状体よりなる本体部１１と、本体部１１の一端に回動可能にヒンジ結合され、本体部１１の他方の一端と係合によって開閉自在とし、略半円形に形成した帯状体よりなる蓋部１２とを備えてなり、本体部１１と蓋部１２とで円筒状の竪樋Ｔを挟み込んで、係合部１４で係合できる構造となっている。図中、１３はヒンジ結合部である。
【００２２】
係合部１４は、図１（ａ）の一点鎖線で囲んだ拡大部分断面図に示すように、本体部１１の端部に形成した係合突起１１ａと、蓋部１２の端部に形成した係合受部１２ａとよりなり、閉じるときは、本体部１１と蓋部１２の両端部を相互に近づけて誘い部１１ａｂ、１２ａｂ同士を滑らせるように押し込めば両者は弾性係合され、一方、開くときは、本体部１１の端部を、本体部１１と蓋部１２とで形成される円の中心に向けて少し押圧しながら両者を引き離そうとすると容易に係合が外れる。
【００２３】
また、本体部１１における取付部２０を中心線とした線対称位置には、挟み込んだ竪樋Ｔを押圧固定する押圧片１１ｂが形成されている。この押圧片１１ｂは、本体部１１を構成する帯状体に、円の内と外とが通じるように開設された開口窓１１ｃの端部より円弧に沿って、円の内側にわずかに突出するように湾曲形成されたものであり、本体部１１と蓋部１２とで竪樋Ｔを挟み込んだときに、竪樋Ｔの外表面に当たって円の外側に弾性変形し、その復帰弾性力によって竪樋Ｔを押圧して支持する構造となっている。
【００２４】
一方、取付部２０は、素材を軟鋼材、ステンレス材等の金属としており、尖端２１ａを有した棒状体２１よりなり、樋支持具本体１０の本体部１１の中央に位置する基部１５に、円の外側に突出するように固着されている。この取付部２０が壁面に打ち込まれて、竪樋支持具２が固定される。
【００２５】
そして、この竪樋支持具１は、樋支持具本体１０の全体が無色透明に形成されている。この無色透明な樋支持具本体１０は、無色透明な樹脂で形成した帯状体の全表面に、さらに無色透明な耐候性被覆層を形成してなるものである。
【００２６】
樋支持具本体１０を構成する無色透明な樹脂としては、アクリルニトリル‐アクリルゴム‐スチレン共重合体よりなるＡＡＳ樹脂や、アクリルニトリル‐ブタジエン‐スチレン共重合体よりなるＡＢＳ樹脂等が好適に使用でき、またポリカーボネート、ナイロン等も使用できる。
【００２７】
また、無色透明な耐候性被覆層は、帯状体の表面にクリア塗装剤を塗布するか、クリアフィルムを貼着することで形成される。
【００２８】
耐候性を有したクリア塗装剤としては、アクリル系、ウレタン系、フッ素系の樹脂よりなる無職透明なフィルムが好適に使用でき、耐候性を有したクリアフィルムとしては、ポリ塩化ビニル樹脂系、アクリル系、ポリエステル系、フッ素系の樹脂よりなる無職透明なフィルムが好適に使用できる。例えば、耐候性にすぐれた塗料やフィルムの素材としては、４フッ化エチレン樹脂（ＰＴＦＥ）が挙げられる。
【００２９】
このように、竪樋支持具１の樋支持本体１０は、無色透明な樹脂よりなる帯状体の表面に無色透明な耐候性被覆層が積層されて全体としても無色透明に形成されているから、図１（ｂ）に示すように、竪樋Ｔを竪樋支持具１の樋支持具本体１０で挟み込んだときには、竪樋Ｔの外表面の、竪樋支持具１の樋支持具本体１０で覆われた箇所は透けて外部に表れ、しかも、樋支持本体１０が単に透明なだけではなく無色であるため、竪樋Ｔの外表面の色調が変化することなくそのまま外観に表出される。
【００３０】
したがって、竪樋Ｔは壁面等に取り付けた後、外観上、竪樋支持具１の樋支持具本体１０によってじゃまされることなく、竪樋Ｔの外表面全体が同一の色調で外部表出される。また、この無色透明な竪樋支持具１を用いれば、どのような色調の竪樋に取り付けても統一した色調が表れるため、竪樋Ｔと竪樋支持具１の相互の色調調整の必要がなく、迅速な施工を実施することができる。
【００３１】
さらに、この竪樋支持具１は、どのような色調の竪樋とも組み合わせることができるため、形状、寸法が同一で色調の異なる竪樋に対して、一種のもので対応できる。そのため、種々の色調の竪樋に合わせて多数の竪樋支持具を製造、在庫する必要がない。
【００３２】
また、樋支持具本体１０を構成する本体部１１および蓋部１２は、主材料を樹脂としているから、適切な強度を持たせるために、図１に示すように、金属製のものに比べて肉厚に形成されているが、無色透明であるため、肉厚にしても竪樋Ｔの色調をそのまま表出させることができる。
【００３３】
さらに、樋支持具本体１０には、本体部１１と蓋部１２とが複雑な形状で噛み合っている係合部１４、ヒンジ結合部１３、および環状体の側面がいびつな形状となっている押圧片１１ｂ、開口窓１１ｃを有しているため、乱反射によって色調が乱れるおそれがあるが、表面の光反射を少なくするようにすれば、樋支持具本体１０が無色透明であるため、樋支持具本体１０にあてがわれた箇所の色調が変化して表出されることはない。
【００３４】
また、樋支持具本体１０の外表面には無色透明な耐候性被覆層が形成されているので、長期間において、無色透明度を低下させることなく、劣化を防止することができる。
【００３５】
なお、樋支持具本体１０は、全体を無色透明とする必要はなく、竪樋Ｔの外表面にあてがい、かつ外観上露出される部分のみを無色透明とし、それ以外の部分、例えば取付部２０を固着させた本体部１０の基部１５を、有色、半透明、非透明等に形成してもよい。このような外観上露出されない部分を安価な材料で形成することで、製造コストの低減化が図れる。
【００３６】
図２は、第２実施形態に係る竪樋の取付構造を示した図で、図２（ａ）は竪樋支持具の平面図、図２（ｂ）は竪樋の取付構造を示した斜視図である。
【００３７】
本竪樋支持具２は、円筒形の大型の竪樋Ｔを支持する環状の樋支持具本体３０と、壁面に固定する取付部４０とよりなる。
【００３８】
樋支持具本体３０は、主材料を無色透明のＡＡＳ、ＡＢＳ等の樹脂としており、帯状体よりなる略半円形の２つの湾曲部３１を、相互に回動可能としたヒンジ結合部３２で結合してなり、一方、取付部４０は、それぞれの湾曲部３１より延び、２つの取付孔４１ａを有した２つの平板部４１よりなる。なお、湾曲部３１の適所には、円弧に沿って補強用リブ３１ａが形成されている。
【００３９】
また、この樋支持具本体３０の全表面にも、第１実施形態と同様の耐候性被覆層が形成されている。耐候性被覆層の素材については、第１実施形態に説明した同一のものが使用できるため、その説明は割愛する。
【００４０】
竪樋Ｔは、図２（ｂ）に示すように、竪樋支持具２の樋支持具本体３０を構成する両湾曲部３１で挟み込まれ、一方、その竪樋支持具２は、取付部４０を構成する両平板部４１が、壁面等に取り付けた固定部材５０の突出片５１を挟み込んで固定される。より具体的には、この固定部材５０の突出片５１には、取付部４０の２つの取付孔４１ａに対応した２つの長孔５１ａが形成されており、取付部４０を構成する両平板部４１と、それらに挟まれる固定部材５０の突出片５１とは、重なり合った孔にボルト５２を通してナット５３止めして固定される。
【００４１】
このように、本実施形態に示した竪樋支持具２は、樋支持具本体３０の全体が無色透明な樹脂によって形成されており、そのため、第１実施形態と同様の効果が得られる。
【００４２】
なお、本実施形態に示した竪樋支持具２は樋支持具本体３０にリブ３１ａが形成されているが、このように外表面に凹凸が形成されていても、樋支持具本体３０の全体が無色透明であるため、竪樋Ｔの色調が乱れて外部に表出されることはない。
【００４３】
ついで、第２実施形態の変形例について、図３を参照しながら説明する。図３は本変形例の竪樋の取付構造を示した図で、図３（ａ）は竪樋支持具の平面図、図３（ｂ）は竪樋の取付構造を示した斜視図である。
【００４４】
本例においては、図２と共通の構成については同一の符号を付してその説明を省略し、相違する箇所のみを説明する。
【００４５】
本例の竪樋支持具２は、樋支持具本体３０が両湾曲部３１よりなり、一方、取付部４０が湾曲部３１より延び、２つの取付孔４１ａを有した２つの平板部４１よりなる点で図２の竪樋支持具２と共通するが、両湾曲部３０の長さおよび形状が相異している点で、図２の竪樋支持具２と異なる。
【００４６】
すなわち、一方の湾曲部３１は途中にヒンジ結合部３２を備え、そのヒンジ結合部３２より延びた長弧の蓋部３４を備え、さらにその蓋部３４の端部に係合受部３４ａを備えた形状となっている一方、他方の湾曲部３１は、平板部４１が延設された基部３６から上記ヒンジ結合部３２までと略同長さの帯状体として形成され、その端部に係合突起３５ａを備えた形状となっている。つまり、この竪樋支持具２は、上記一方の湾曲部３１のうちの蓋部３４を除く部位と、上記他方の湾曲部３１とによって、竪樋Ｔを壁側より支持する支持本体部３５が構成されている。
【００４７】
ようするに、図３の竪樋支持具２は、図２に示した第２実施形態の竪樋支持具２に、図１に示した第１実施形態の竪樋支持具１における係合部１４と同様の係合部３３を付加して、蓋部３４が開閉できる構造としたものである。
【００４８】
この竪樋支持具２の樋支持具本体３０も、図２のものと同様に、主材料を無色透明のＡＡＳ、ＡＢＳ等の樹脂としているが、本例では蓋部３４のみが無色透明な樹脂で形成され、一方、支持本体部３５は、竪樋Ｔを挟み込んで固定した後に外観上露出されない部位であるため、無色透明ではない樹脂で形成されている。
【００４９】
この竪樋の取付構造によれば、蓋部３４が無色透明なため、図２に示した第２実施形態と同様の効果が期待できるし、さらに無色透明とすべき竪樋支持具２の部位の寸法が小さいので、低コスト化が図れる。また、蓋部３４はヒンジ結合部３２で切り離して別体に形成できるから、無色透明にする部位と、無色透明にしない部位とを別部材で構成することができ、そのため２色成形等をする必要がなく、製造の簡易化が図れる。
【００５０】
また、図１に示した第１実施形態および図２に示した第２実施形態においては、円筒体よりなる円形竪樋の取付構造を例示したが、角筒体よりなる角形竪樋の取付構造においても、同様にして実施できることはもちろんである。
【符号の説明】
【００５１】
Ｔ      樋
１      竪樋支持具
１０      樋支持具本体
１１      本体部
１２      蓋部
２０      取付部
３０      樋支持具本体
３１      湾曲部
４０      取付部
５０      固定部材
【図１】
2010229799.tif 000003
【図２】
2010229799.tif 000004
【図３】
2010229799.tif 000005